(57)【要約】【課題】  履歴の管理を容易且つ確実に行う。【解決手段】  本発明の電子メールシステムは、ユーザが受信者として指定されているメッセージに関するデータをデータベースから検索、抽出するメッセージ検索抽出手段と、該メッセージの一覧画面を表示させる一覧表示手段と、該メッセージを含むメッセージ画面を表示させるメッセージ表示手段と、該メッセージに対する意見の入力画面を表示させる意見入力画面表示手段と、該意見の入力画面から入力された意見を前記メッセージに関連付けて前記データベースに蓄積させる意見蓄積手段とを備え、前記メッセージに関するデータには、前記メッセージに関連付けられた意見が含まれており、前記メッセージ表示手段は、前記メッセージ画面を前記ユーザ端末に表示させる時に、前記メッセージと共に該メッセージに関連付けられた意見も表示するように構成されていることを特徴とする。【選択図】  図１
2007028025.tif 000002
【特許請求の範囲】
【請求項１】
ユーザ端末とメールサーバとが情報通信ネットワークを介して相互に接続された環境下において、電子メールの送受信を行うための電子メールシステムであって、
前記ユーザ端末からのメッセージ閲覧要求に応じて、該閲覧要求したユーザが受信者として指定されているメッセージに関するデータをデータベースから検索し、抽出するメッセージ検索抽出手段と、
該メッセージ検索抽出手段により抽出されたメッセージに関するデータに基づき、一覧画面を前記ユーザ端末に表示させる一覧表示手段と、
前記一覧画面からのメッセージの選択要求に応じて、該メッセージを含むメッセージ画面を前記ユーザ端末に表示させるメッセージ表示手段と、
該メッセージ表示手段により前記ユーザ端末に表示されたメッセージに対する意見の作成要求に応じて、意見の入力画面を前記ユーザ端末に表示させる意見入力画面表示手段と、
前記ユーザ端末に表示された意見の入力画面から入力された意見を前記選択されたメッセージに関連付けて前記データベースに蓄積させる意見蓄積手段と、
を備えており、
前記メッセージ検索抽出手段が前記データベースから検索し、抽出する前記メッセージに関するデータには、前記メッセージに関連付けられた意見が含まれており、前記メッセージ表示手段は、前記メッセージ画面を前記ユーザ端末に表示させる時に、前記メッセージと共に該メッセージに関連付けられた意見も表示するように構成されていることを特徴とする電子メールシステム。
【請求項２】
前記ユーザ端末からの新規メッセージ作成要求に応じて、新規メッセージの入力画面を前記ユーザ端末に表示させる新規メッセージ入力画面表示手段と、前記新規メッセージの入力画面から受信者を指定して入力された新規メッセージを前記受信者に関連付けてデータベースに蓄積させる新規メッセージ蓄積手段とをさらに備えている請求項１に記載の電子メールシステム。
【請求項３】
前記新規メッセージ入力画面表示手段は、前記ユーザ端末からの要求に基づき、所定の定型化された新規メッセージ入力画面を前記ユーザ端末に表示可能なように構成されている請求項２に記載の電子メールシステム。
【請求項４】
前記所定の定型化された新規メッセージ入力画面にメッセージが入力されて構成された文書を他のタイプの定型化された文書に変換可能な文書変換手段をさらに備えている請求項３に記載の電子メールシステム。
【請求項５】
前記新規メッセージ入力画面にメッセージが入力されて構成された文書を複数の定型化された文書に分割可能な文書分割手段をさらに備えている請求項３又は４に記載の電子メールシステム。
【請求項６】
前記一覧画面からのメッセージ選択動作の有無に基づき、そのメッセージが既読か未読かの判定を行い、その判定結果を前記ユーザ端末に表示させるステータス管理手段をさらに備えている請求項１〜５のいずれか1の請求項に記載の電子メールシステム。
【請求項７】
前記ステータス管理手段は、前記メッセージの受信者のユーザ端末に表示された前記メッセージ画面からの前記受信者の承認動作の有無に基づき、そのメッセージが前記受信者に承認されたか否かの判定を行うように構成されている請求項６に記載の電子メールシステム。
【請求項８】
前記ステータス管理手段の前記判定結果に基づき、前記受信者及び送信者以外の者への前記メッセージの送信の可否を判定するメッセージ送信判定手段をさらに備えている請求項７に記載の電子メールシステム。
【請求項９】
前記メッセージの送信者及び受信者の要求に基づき、該送信者及び受信者以外の者への公開を制限する範囲を前記メッセージにおいて指定可能なメッセージ公開制限手段をさらに備えている請求項８に記載の電子メールシステム。
【請求項１０】
前記ステータス管理手段により未読と判定されたメッセージに関するデータのみを抽出する未読メッセージ抽出手段を備えており、前記一覧表示手段は、前記ユーザ端末からの要求に応じて、前記未読メッセージ抽出手段により抽出された未読メッセージに関するデータに基づき、未読メッセージ一覧画面を前記ユーザ端末に表示するように構成されている請求項６〜９のいずれか１の請求項に記載の電子メールシステム。
【請求項１１】
前記ユーザ端末からの要求に基づき、前記ユーザ端末に格納されているファイルを選択し、該ファイルを前記メッセージに添付可能なファイル添付処理手段を備えている請求項１〜１０のいずれか１の請求項に記載の電子メールシステム。
【請求項１２】
前記メッセージ表示手段により前記ユーザ端末に表示された意見に対する返信意見の作成要求に応じて、返信意見の入力画面を前記ユーザ端末に表示させる返信意見入力画面表示手段と、
前記ユーザ端末に表示された返信意見の入力画面から入力された返信意見を前記意見に関連付けて前記データベースに蓄積させる返信意見蓄積手段と、
をさらに備えており、
前記メッセージ検索抽出手段が前記データベースから検索し、抽出する前記メッセージに関するデータには、前記意見に関連付けられた返信意見が含まれており、前記メッセージ表示手段は、前記メッセージ画面を前記ユーザ端末に表示させる時に、前記意見と共に該意見に関連付けられた返信意見も表示するように構成されている請求項１〜１１のいずれか１の請求項に記載の電子メールシステム。
【請求項１３】
既に入力されているメッセージに対する新規バージョンのメッセージの作成要求に応じて、新規バージョンのメッセージ入力画面を前記ユーザ端末に表示させる新規バージョンメッセージ入力画面表示手段と、
前記ユーザ端末に表示された新規バージョンのメッセージ入力画面から入力された新規バージョンのメッセージを既に入力されているメッセージに関連付けてデータベースに蓄積させる新規バージョンメッセージ蓄積手段と、
を備えており、前記メッセージ検索抽出手段は、前記ユーザ端末からのメッセージ閲覧要求に応じて、該閲覧要求したユーザが受信者として指定されているメッセージのうち最新バージョンのメッセージに関するデータを前記データベースから検索、抽出し、前記一覧表示手段は、前記メッセージ検索抽出手段により抽出された最新バージョンのメッセージに関するデータに基づき、一覧画面を前記ユーザ端末に表示させ、前記メッセージ表示手段は、前記一覧画面からのメッセージの選択要求に応じて、前記最新バージョンのメッセージを前記ユーザ端末に表示させるように構成されている請求項１〜１２のいずれか１の請求項に記載の電子メールシステム。
【請求項１４】
前記メッセージ表示手段は、前記ユーザ端末からの要求に応じて、古いバージョンのメッセージを表示可能なように構成されている請求項１３に記載の電子メールシステム。
【請求項１５】
前記メッセージを分類するための付箋を前記ユーザ端末から前記メッセージに対して任意に設定可能な付箋設定手段と、該付箋設定手段により同一の付箋を設定されたメッセージに関するデータのみを前記データベースから抽出する付箋設定メッセージ抽出手段とを備えており、前記一覧表示手段は、前記ユーザ端末からの要求に応じて、前記付箋設定メッセージ抽出手段により抽出されたメッセージに関するデータに基づき、同一の付箋を設定されたメッセージの一覧画面を前記ユーザ端末に表示可能なように構成されている請求項１〜１４のいずれか１の請求項に記載の電子メールシステム。
【請求項１６】
前記付箋設定手段は、前記新規メッセージの入力画面から入力された付箋に関するデータに基づき、前記新規メッセージに対して付箋を設定可能なように構成されている請求項１５に記載の電子メールシステム。
【請求項１７】
前記付箋の追加、変更、削除を設定可能な付箋編集画面が、前記メッセージの一覧画面からの要求に基づき前記ユーザ端末に表示されるように構成されている請求項１５または１６に記載の電子メールシステム。
【請求項１８】
前記ユーザ端末から設定した付箋は、該付箋を設定したユーザ端末にのみ表示されるように構成されている請求項１５〜１７のいずれか１の請求項に記載の電子メールシステム。
【発明の詳細な説明】
【技術分野】
【０００１】
本発明は、ユーザ端末と電子メールサーバとが情報通信ネットワークを介して相互に接続された環境下において、電子メールの送受信を行うための電子メールシステムに関する。
【背景技術】
【０００２】
従来の電子メールシステムは、インターネット等の情報通信ネットワークを介して複数のユーザ端末とメールサーバが相互に接続されて構成されている。そして、送信者がユーザ端末から受信者を指定して送信したメールは、情報通信ネットワークを介してメールサーバに送られ、メールサーバでは受信者毎に予め用意された専用のメールボックスに仕分けされて保存される。一方、受信者がユーザ端末から情報通信ネットワークを介してメールサーバにアクセスすると、メールサーバはその受信者専用のメールボックスから電子メールを取り出し、その電子メールを受信者のユーザ端末へ送信するようになっている（例えば、特許文献１参照）。
【特許文献１】特開２００１−２４４９６０号公報
【発明の開示】
【発明が解決しようとする課題】
【０００３】
しかしながら、上記した従来の電子メールシステムでは、電子メールを介して送信者と受信者の二者間で情報伝達が行われるようになっているため、再送や返信を繰り返し行っているうちに、いくつもの修正版メッセージが派生してしまい、履歴の管理が直ちに煩雑になるといった問題があった。
【０００４】
また、上記した従来の電子メールシステムでは、受信者を複数指定してメッセージを送信することにより、送信者と複数の受信者との間で情報を共有することができるが、これは、二者間の情報伝達が複数並立しているのに過ぎないため、複数の関係者の間で送信や返信が繰り返されると、最初のメッセージの修正版が複数派生することになり、履歴の管理が益々複雑化するといった問題があった。
【０００５】
本発明は、上記した課題を解決すべくなされたものであり、送信者と受信者を含むグループ化された複数の関係者がいつでも同一のメッセージと意見を共有することができ、履歴の管理を容易且つ確実に行うことができる電子メールシステムを提供しようとするものである。
【課題を解決するための手段】
【０００６】
本発明は、ユーザ端末とメールサーバとが情報通信ネットワークを介して相互に接続された環境下において、電子メールの送受信を行うための電子メールシステムであって、前記ユーザ端末からのメッセージ閲覧要求に応じて、該閲覧要求したユーザが受信者として指定されているメッセージに関するデータをデータベースから検索し、抽出するメッセージ検索抽出手段と、該メッセージ検索抽出手段により抽出されたメッセージに関するデータに基づき、一覧画面を前記ユーザ端末に表示させる一覧表示手段と、前記一覧画面からのメッセージの選択要求に応じて、該メッセージを含むメッセージ画面を前記ユーザ端末に表示させるメッセージ表示手段と、該メッセージ表示手段により前記ユーザ端末に表示されたメッセージに対する意見の作成要求に応じて、意見の入力画面を前記ユーザ端末に表示させる意見入力画面表示手段と、前記ユーザ端末に表示された意見の入力画面から入力された意見を前記選択されたメッセージに関連付けて前記データベースに蓄積させる意見蓄積手段とを備えており、前記メッセージ検索抽出手段が前記データベースから検索し、抽出する前記メッセージに関するデータには、前記メッセージに関連付けられた意見が含まれており、前記メッセージ表示手段は、前記メッセージ画面を前記ユーザ端末に表示させる時に、前記メッセージと共に該メッセージに関連付けられた意見も表示するように構成されていることを特徴とする。
【０００７】
また、前記ユーザ端末からの新規メッセージ作成要求に応じて、新規メッセージの入力画面を前記ユーザ端末に表示させる新規メッセージ入力画面表示手段と、前記新規メッセージの入力画面から受信者を指定して入力された新規メッセージを前記受信者に関連付けてデータベースに蓄積させる新規メッセージ蓄積手段とをさらに備えていてもよい。
【０００８】
さらに、前記新規メッセージ入力画面表示手段は、前記ユーザ端末からの要求に基づき、所定の定型化された新規メッセージ入力画面を前記ユーザ端末に表示可能なように構成されていてもよい。
【０００９】
さらに、前記所定の定型化された新規メッセージ入力画面にメッセージが入力されて構成された文書をを他のタイプの定型化された文書に変換可能な文書変換手段をさらに備えていてもよい。
【００１０】
さらに、前記新規メッセージ入力画面にメッセージが入力されて構成された文書をを複数の定型化された文書に分割可能な文書分割手段をさらに備えていてもよい。
【００１１】
さらに、前記一覧画面からのメッセージ選択動作の有無に基づき、そのメッセージが既読か未読かの判定を行い、その判定結果を前記ユーザ端末に表示させるステータス管理手段を備えていてもよい。
【００１２】
さらに、前記ステータス管理手段は、前記メッセージの受信者のユーザ端末に表示された前記メッセージ画面からの前記受信者の承認動作の有無に基づき、そのメッセージが前記受信者に承認されたか否かの判定を行うように構成されていてもよい。
【００１３】
さらに、前記ステータス管理手段の前記判定結果に基づき、前記送信者及び受信者以外の者への前記メッセージの送信の可否を判定するメッセージ送信判定手段をさらに備えていてもよい。
【００１４】
さらに、前記メッセージの送信者及び受信者の要求に基づき、該送信者及び受信者以外の者への公開を制限する範囲を前記メッセージにおいて指定可能なメッセージ公開制限手段をさらに備えていてもよい。
【００１５】
さらにまた、前記ステータス管理手段により未読と判定されたメッセージに関するデータのみを抽出する未読メッセージ抽出手段を備えており、前記一覧表示手段は、前記ユーザ端末からの要求に基づき、前記未読メッセージ抽出手段により抽出された未読メッセージに関するデータに基づき、未読メッセージ一覧画面を前記ユーザ端末に表示するように構成されていてもよい。
【００１６】
さらに、前記ユーザ端末からの要求に基づき、前記ユーザ端末に格納されているファイルを選択し、該ファイルを前記メッセージに添付可能なファイル添付処理手段を備えていてもよい。
【００１７】
さらに、前記メッセージ表示手段により前記ユーザ端末に表示された意見に対する返信意見の作成要求に応じて、返信意見の入力画面を前記ユーザ端末に表示させる返信意見入力画面表示手段と、前記ユーザ端末に表示された返信意見の入力画面から入力された返信意見を前記意見に関連付けて前記データベースに蓄積させる返信意見蓄積手段とを備えており、前記メッセージ検索抽出手段が前記データベースから検索し、抽出する前記メッセージに関するデータには、前記意見に関連付けられた返信意見が含まれており、前記メッセージ表示手段は、前記メッセージ画面を前記ユーザ端末に表示させる時に、前記意見と共に該意見に関連付けられた返信意見も表示するように構成されていてもよい。
【００１８】
さらに、既に入力されているメッセージに対する新規バージョンのメッセージの作成要求に応じて、新規バージョンのメッセージ入力画面を前記ユーザ端末に表示させる新規バージョンメッセージ入力画面表示手段と、前記ユーザ端末に表示された新規バージョンのメッセージ入力画面から入力された新規バージョンのメッセージを既に入力されているメッセージに関連付けてデータベースに蓄積させる新規バージョンメッセージ蓄積手段とを備えており、前記メッセージ検索抽出手段は、前記ユーザ端末からのメッセージ閲覧要求に応じて、該閲覧要求したユーザが受信者として指定されているメッセージのうち最新バージョンのメッセージに関するデータを前記データベースから検索、抽出し、前記一覧表示手段は、前記メッセージ検索抽出手段により抽出された最新バージョンのメッセージに関するデータに基づき、一覧画面を前記ユーザ端末に表示させ、前記メッセージ表示手段は、前記一覧画面からのメッセージの選択要求に応じて、前記最新バージョンのメッセージを前記ユーザ端末に表示させるように構成されていてもよい。
【００１９】
さらに、前記メッセージ表示手段は、前記ユーザ端末からの要求に応じて、古いバージョンのメッセージを表示可能なように構成されていてもよい。
【００２０】
さらに、前記メッセージを分類するための付箋を前記ユーザ端末から前記メッセージに対して任意に設定可能な付箋設定手段と、該付箋設定手段により同一の付箋を設定されたメッセージに関するデータのみを前記データベースから抽出する付箋設定メッセージ抽出手段とを備えており、前記一覧表示手段は、前記ユーザ端末からの要求に応じて、前記付箋設定メッセージ抽出手段により抽出されたメッセージに関するデータに基づき、同一の付箋を設定されたメッセージの一覧画面を前記ユーザ端末に表示可能なように構成されていてもよい。
【００２１】
さらに、前記付箋設定手段は、前記新規メッセージの入力画面から入力された付箋に関するデータに基づき、前記新規メッセージに対して付箋を設定可能なように構成されていてもよい。
【００２２】
さらに、前記付箋の追加、変更、削除を設定可能な付箋編集画面が、前記メッセージの一覧画面からの要求に基づき前記ユーザ端末に表示されるように構成されていてもよい。
【００２３】
さらに、前記ユーザ端末から設定した付箋は、該付箋を設定したユーザ端末にのみ表示されるように構成されていてもよい。
【発明の効果】
【００２４】
本発明によれば、送信者と指定された受信者全員がいつでも同一のメッセージとそのメッセージに関連付けられた意見や返信意見を共有することができるため、グループ化された関係者間において情報の伝達を円滑に行うことができ、履歴の管理を容易且つ確実に行うことができる等、種々の優れた効果を得ることができる。
【発明を実施するための最良の形態】
【００２５】
以下、図面を参照しつつ、本発明の実施の形態について説明する。なお、以下の説明では、情報通信ネットワークとしてインターネットを利用した場合について例示して説明する。
【００２６】
先ず、図１を参照しつつ、本発明の第１の実施の形態に係る電子メールシステムの構成について説明する。ここで、図１は本発明の第１の実施の形態に係る電子メールシステムの全体構成を示す概略図である。
【００２７】
本実施の形態に係る電子メールシステムは、複数（図１では３台）のユーザ端末１，２，３と、メールサーバ４とがインターネット３０を介して相互に接続されて構成されており、メールサーバ４は、本システムの各構成部をコントロールする制御部５と、メッセージや意見等に関する各種データを蓄積するデータベース６とから構成されている。
【００２８】
メールサーバ４の制御部５は、ユーザ端末１，２，３からの新規メッセージの作成要求に応じて、新規メッセージの入力画面をユーザ端末１，２，３に表示させる新規メッセージ入力画面表示部７と、新規メッセージの入力画面から受信者を指定して入力された新規メッセージを前記受信者に関連付けてデータベース６に蓄積させる新規メッセージ蓄積部８と、ユーザ端末１，２，３、からのメッセージ閲覧要求に応じて、該閲覧要求したユーザが受信者として指定されているメッセージに関するデータをデータベース６から検索し、抽出するメッセージ検索抽出部９と、メッセージ検索抽出部９により抽出されたメッセージに関するデータに基づき、一覧画面をユーザ端末１，２，３に表示させる一覧表示部１０と、一覧画面からのメッセージの選択要求に応じて、該メッセージを含むメッセージ画面をユーザ端末１，２，３に表示させるメッセージ表示部１１と、このメッセージに対する意見の作成要求に応じて、意見の入力画面をユーザ端末１，２，３に表示させる意見入力画面表示部１２と、意見の入力画面から入力された意見を前記選択されたメッセージに関連付けてデータベース６に蓄積させる意見蓄積部１３と、前記一覧画面からのメッセージの選択要求動作の有無に基づき、メッセージが既読か未読かの判定を行い、その判定結果をユーザ端末１，２，３に表示させるステータス管理部１４と、ステータス管理部１４により未読と判定されたメッセージに関するデータのみを抽出する未読メッセージ抽出部１５と、ユーザ端末１，２，３に格納されているファイルを選択し、該ファイルを前記メッセージに添付可能なファイル添付処理部１６と、端末１，２，３に表示された意見に対する返信意見の作成要求に応じて、返信意見の入力画面をユーザ端末１，２，３、に表示させる返信意見入力画面表示部１７と、ユーザ端末１，２，３に表示された返信意見の入力画面から入力された返信意見を前記意見に関連付けてデータベース６に蓄積させる返信意見蓄積部１８と、既に入力されているメッセージに対する新規バージョンのメッセージの作成要求に応じて、新規バージョンのメッセージ入力画面をユーザ端末１，２，３に表示させる新規バージョンメッセージ入力画面表示部１９と、この新規バージョンのメッセージ入力画面から入力された新規バージョンのメッセージを既に入力されているメッセージに関連付けてデータベース６に蓄積させる新規バージョンメッセージ蓄積部２０とを備えて構成されている。
【００２９】
次に、図１及び図２〜図１３を参照しつつ、本発明の第１の実施の形態に係る電子メールシステムの作用について説明する。
【００３０】
最初に、図１及び図２〜図７を参照しつつ、ユーザがメッセージを受信する時の作用について説明する。ここで、図２はユーザがメッセージを受信する時の処理手順を示すフローチャート、図３はメッセージの一覧画面を示す図、図４はメッセージ画面を示す図、図５は意見の入力画面を示す図、図６は意見画面を示す図、図７は返信意見の入力画面を示す図である。
【００３１】
先ず、ユーザが、例えばユーザ端末１のログイン画面においてＩＤやパスワード等の認証データを入力し、ログインボタンを選択すると、この認証データはインターネット３０を介してメールサーバ４に送信される（Ｓ２０１）。メールサーバ４においては、ユーザ端末１から送信された認証データに基づき、ユーザの認証作業が行われ（Ｓ２０２）、ユーザの認証ができた場合には、次のステップ２０４に進み、認証ができなかった場合には、ユーザの認証ができるまで、ユーザに対して認証データの入力を促し続ける（Ｓ２０３）。
【００３２】
ステップ２０４において、メッセージ検索抽出部９は、前記ステップ２０３で認証されたユーザが送信者及び受信者として指定されているメッセージに関するデータをデータベース６から検索、抽出し、一覧表示部１０は、ユーザ端末１に、メッセージ検索抽出部９が抽出したメッセージの一覧画面４１を表示させる（Ｓ２０５）。
【００３３】
この一覧画面４１には、図３に示すように、メッセージの題名一覧４２の他、メッセージが未読か既読かを表示するメッセージの未読表示欄４３、メッセージに対する意見が未読か既読かを表示する意見の未読表示欄４４、送信者名欄４５、日付欄４６、受信者名欄４７等が表示されるようになっており、各受信者名の文字色によりその受信者がメッセージを未読、既読、承認かを判別できるようになっている。
【００３４】
次いで、ユーザがこの一覧画面４１から特定のメッセージ、例えば、図３においてＮｏ．１２９のメッセージを選択すると（Ｓ２０６）、この選択要求がメールサーバ４に送信され、メールサーバ４では、メッセージ検索抽出部９が、ＮＯ．１２９のメッセージのデータをデータベース６から検索、抽出し（Ｓ２０７）、メッセージ表示部１１は、このメッセージのデータに基づき、Ｎｏ１２９のメッセージ画面５１をユーザ端末１に表示させる（Ｓ２０８）。また、この時、ステータス管理部１５は、前記ステップ２０６におけるメッセージの選択要求に基づき、Ｎｏ．１２９のメッセージが既読状態になったと判定し、一覧画面４１において、このメッセージの未読表示欄４３から○印を消去する。
【００３５】
図４に示すように、このメッセージ画面５１は、メッセージに関する情報を表示するメッセージ表示部５２と、メッセージに対する意見に関する情報を表示する意見表示部５３とを備えて構成されている。そして、メッセージ表示部５２には、メッセージの内容表示欄５４の他、メッセージのバージョン情報５５、送信者名欄５６、受信者名と共に各受信者が未読か既読か承認したかを表示する欄５７等が表示されるようになっており、意見表示部５３には、意見の冒頭部分を表示する欄５８の他、意見が未読か既読かを表示する意見の未読表示欄５９、送信者名欄６０、書き込み日時欄６１、受信者名欄６２が表示されるようになっており、各受信者名の文字色によりその受信者が意見を未読、既読かを判別できるようになっている。
【００３６】
また、図４に示すように、メッセージ画面５１には承認ボタンが設けられており、「承認する」ボタンを選択すると、そのメッセージを選択した受信者名等を表示する欄５７（図４では「中村」の欄）の表示が既読から承認に変わり、受信者がこのメッセージを承認したかどうかが他の受信者に報知されるようになっている。なお、メッセージが承認された状態では、「承認する」ボタンは「承認を取り消す」ボタンに代わり、この「承認を取り消す」ボタンを選択することにより、受信者名等を表示する欄５７の表示が承認から既読に変化するようになっている。
【００３７】
次いで、このメッセージ画面５１において、ユーザが「意見を追加」のボタンを選択することにより、意見の作成要求がメールサーバ４に送信される（Ｓ２０９）。メールサーバ４では、この意見の作成要求に基づき、意見入力画面表示部１２がユーザ端末１に対して意見の入力画面データを送信し（Ｓ２１０）、ユーザ端末１に意見の入力画面７１が表示される（Ｓ２１１）。
【００３８】
図５に示すように、この意見の入力画面７１には、意見入力欄７２が設けられており、この意見入力欄７２に意見を入力し、「追加する」ボタンを選択すると、意見がメールサーバ４に送信される（Ｓ２１２）。メールサーバ４では、意見蓄積部１３が、この意見をＮｏ．１２９のメッセージに関連付けてデータベース６に蓄積し（Ｓ２１３）、これ以降にユーザがＮｏ１２９のメッセージの閲覧要求を行った場合、メッセージ検索抽出部９は、Ｎｏ．１２９のメッセージと共にこの意見を検索、抽出する。そして、メッセージ表示部１１は、Ｎｏ．１２９のメッセージと同時にＮｏ．１２９のメッセージに関連付けられたこの意見をユーザ端末１，２，３に表示させる。
【００３９】
さらにまた、図４のメッセージ画面５１から、特定の意見、例えば、図４の意見表示部５３において最下段に表示されている意見を選択すると、図６に示すように、メッセージ表示部１１によりユーザ端末１に意見画面７３が表示される。この意見画面７３において、ユーザが「この意見に返信」を選択すると、図７に示すように、返信意見入力画面表示部１７によりユーザ端末１に返信意見の入力画面７４が表示され、ユーザがこの返信意見の入力画面７４の返信意見入力欄７５に返信意見を入力し、「追加する」ボタンを選択すると、返信意見がメールサーバ４に送信される。メールサーバ４では、返信意見蓄積部１８が、この返信意見をＮｏ．１２９のメッセージに関連付けてデータベース６に蓄積し、これ以降にユーザがＮｏ１２９のメッセージの閲覧要求を行った場合、メッセージ表示部１１は、Ｎｏ．１２９のメッセージやそれに対する意見と共にこの返信意見をユーザ端末１，２，３に表示させる。
【００４０】
次に、図１、図３、図８及び図９を参照しつつ、ユーザが新規メッセージを作成する時の作用について説明する。ここで、図８はユーザが新規メッセージを作成する時の処理手順を示すフローチャート、図９は新規メッセージの入力画面を示す図である。なお、この場合、メッセージの一覧画面４１を表示させるまでの処理手順は、前記ユーザがメッセージを受信する時の処理手順と同じであるため、ここでは説明を省略する。
【００４１】
ステップ２０５において、一覧表示部１０によってユーザ端末１に表示されたメッセージの一覧画面４１（図３参照）から、ユーザが「新規ハガキ」ボタンを選択すると、新規メッセージの作成要求がメールサーバ４に送信される（Ｓ３０１）。メールサーバ４では、この新規メッセージの作成要求に基づき、新規メッセージ入力画面表示部７がユーザ端末１に対して新規メッセージの入力画面データを送信し（Ｓ３０２）、ユーザ端末１において新規メッセージの入力画面８１（図９参照）が表示される（Ｓ３０３）。
【００４２】
図９に示すように、この新規メッセージの入力画面８１には、新規メッセージ入力欄８２の他、受信者指定欄８３、バージョン情報欄８４等が表示されるようになっており、ユーザが、新規メッセージ入力欄８２にメッセージを入力し、「送信」ボタンを選択すると、新規メッセージがメールサーバ４に送信される（Ｓ３０４）。この時、ユーザが「ファイルを添付」ボタンを選択し、ユーザ端末１に格納されている所定のファイルを指定すると、ファイル添付処理部１６は、その指定されたファイルを前記新規メッセージに添付し、該新規メッセージと一緒にメールサーバ４に送信する。
【００４３】
また、この時、ユーザは、「下書きとして保存」ボタンを選択することにより、書きかけの新規メッセージを、下書きとしてメールサーバ４に保存することもできる。そして、メールサーバ４では、新規メッセージ蓄積部８が、ユーザ端末１から送信されたこの新規メッセージを、添付ファイルが存在する場合にはその添付ファイルと共に、受信者に関連付けてデータベース６に蓄積する（Ｓ３０５）。
【００４４】
次に、図１、図３、図１０〜図１２を参照しつつ、ユーザが新規バージョンのメッセージを作成する時の作用について説明する。ここで、図１０はユーザが新規バージョンのメッセージを作成する時の処理手順を示すフローチャート、図１１は既に入力されているメッセージの表示画面を示す図、図１２は新規バージョンのメッセージの入力画面を示す図である。なお、この場合、メッセージの一覧画面４１を表示させるまでの処理手順は、前記ユーザがメッセージを受信する時の処理手順と同じであるため、ここでは説明を省略する。
【００４５】
ステップ２０５において、一覧表示部１０によってユーザ端末１に表示されたメッセージの一覧画面４１から、以前、自分（この場合は「田村」）が作成したメッセージ、例えば、図３のＮｏ．１３２のメッセージを選択すると（Ｓ４０１）、この選択要求がメールサーバ４に送信され、メールサーバ４では、メッセージ検索抽出部９が、ＮＯ．１３２のメッセージに関するデータをデータベース６から検索、抽出し（Ｓ４０２）、メッセージ表示部１１は、このメッセージに関するデータに基づき、Ｎｏ１３２のメッセージ画面９１をユーザ端末１に表示させる（Ｓ４０３）。この場合、メッセージ画面９１には、図１１に示すように、「承認する」ボタンの代わりに「新規バージョン」ボタンが表示される。
【００４６】
次いで、ユーザが、このメッセージ画面９１において「新規バージョン」ボタンを選択すると、新規バージョンのメッセージの作成要求がメールサーバ４に送信される（Ｓ４０４）。メールサーバ４では、この新規バージョンのメッセージの作成要求に基づき、新規バージョンメッセージ入力画面表示部１９がユーザ端末１に対して新規バージョンメッセージの入力画面データを送信し（Ｓ４０５）、ユーザ端末１において新規バージョンメッセージの入力画面１０１が表示される（Ｓ４０６）。
【００４７】
図１２に示すように、この新規メッセージの入力画面１０１には、新規バージョンのメッセージ入力欄１０２の他、図９の新規メッセージの入力画面８１と同様に、受信者指定欄１０３、バージョン情報欄１０４等が表示されるようになっており、この場合、バージョン情報欄１０４には「２」と表示され、メッセージが「１」から「２」へバージョンアップされたことが表示される。そして、ユーザが、新規バージョンのメッセージ入力欄１０２にメッセージを入力し、「送信」ボタンを選択すると、新規バージョンのメッセージがメールサーバ４に送信される（Ｓ４０７）。この時、ユーザがメッセージにファイルを添付したり、メッセージを下書きとして保存したりすることができるのは、新規メッセージ作成の場合と同じである。
【００４８】
メールサーバ４では、新規バージョンメッセージ蓄積部２０が、ユーザ端末１から送信されたこの新規バージョンのメッセージを、添付ファイルが存在する場合にはその添付ファイルと共に、受信者に関連付けてデータベース６に蓄積する（Ｓ４０８）。そして、これ以降にユーザがＮｏ．１３２のメッセージの閲覧要求を行った場合、メッセージ検索抽出部９は、Ｎｏ．１３１の最新バージョンのメッセージを検索、抽出するが、ユーザが新規メッセージの入力画面８１又は新規バージョンのメッセージの入力画面９１のバージョン情報欄において、古いバージョンを選択すると、メッセージ検索抽出部９は、Ｎｏ．１３２の指定された古いバージョンのメッセージを検索、抽出し、メッセージ表示部１１は、その古いバージョンのメッセージをユーザ端末１，２，３に表示させる。
【００４９】
次に、図１、図３及び図１３を参照しつつ、未読のメッセージを表示させる時の作用について説明する。ここで、図１３は未読のメッセージを表示させる時の処理手順を示すフローチャートである。なお、この場合、メッセージの一覧画面４１を表示させるまでの処理手順は、前記ユーザがメッセージを受信する時の処理手順と同じであるため、ここでは説明を省略する。
【００５０】
ステップ２０５において、一覧表示部１０によってユーザ端末１に表示されたメッセージの一覧画面４１（図３参照）において、「未読のみ表示」のボックス４８にチェックを入れ、「更新」ボタンを選択すると（Ｓ５０１）、この選択要求がメールサーバ４に送信され、メールサーバ４では、未読メッセージ抽出部１５がデータベース６から未読のメッセージに関するデータを検索、抽出し（Ｓ５０２）、この抽出された未読のメッセージに関するデータに基づき、メッセージ表示部１１は、未読メッセージの一覧画面をユーザ端末１に表示させる（Ｓ５０３）。なお、この場合、図３に示すように、「Ｆｒｏｍがあなた」のボックスにチェックを入れ、送信者が自分自身の未読メッセージだけに絞り込んだり、「Ｔｏがあなた」のボックスにチェックを入れ、受信者が自分自身の未読メッセージだけに絞り込んだり、或いは、「削除済みを表示しない」のボックスにチェックを入れ、削除済みの未読メッセージを表示対象から除外したりすることができる。
【００５１】
次に、図１４〜図１８を参照しつつ、本発明の第２の実施の形態に係る電子メールシステムについて説明する。
【００５２】
本実施の形態は、新規メッセージの入力画面が所定のフォームに定型化されている点に特徴があり、それ以外の点については上記した第１の実施の形態の場合と同一である。したがって、以下の説明では、説明の簡略化のため、上記した第１の実施の形態と異なる点を中心に説明し、第１の実施の形態と同様の構成及びその動作についての詳細な説明は省略する。
【００５３】
図１４に示されているように、本実施の形態に係るメールサーバ４の制御部５は、上記した第１の実施の形態の場合の各構成に加えて、所定の定型化された新規メッセージ入力画面にメッセージが入力されて構成された文書を他のタイプの定型化された文書に変換可能な文書変換部２１と、新規メッセージ入力画面にメッセージが入力されて構成された文書を複数の定型化された文書に分割可能な文書分割部２２と、メッセージの送信者及び受信者の承認状態に基づき、該送信者及び受信者以外の者への前記メッセージの送信の可否を判定するメッセージ送信判定部２３と、前記メッセージの送信者及び受信者の要求に基づき、該送信者及び受信者以外の者への公開を制限する範囲を前記メッセージにおいて指定可能なメッセージ公開制限部２４とをさらに備えている。そして、新規メッセージ入力画面表示部７は、ユーザ端末１，２，３からの要求に基づき、所定の定型化された新規メッセージ入力画面をユーザ端末１，２，３に表示可能なように構成されており、また、ステータス管理部１４は、前記メッセージの受信者のユーザ端末１，２，３、に表示された前記メッセージ画面からの前記受信者の承認動作の有無に基づき、そのメッセージが前記受信者に承認されたか否かの判定を行うように構成されている。
【００５４】
図１５は発注者側のユーザが定型化された新規メッセージ入力画面から新規メッセージ（発注書）を送信する時の処理手順を示しており、メッセージの一覧画面４１を表示させるまでの処理手順は、上記した第１の実施の形態の場合の処理手順と同じである。
【００５５】
先ず、発注者側のユーザ端末１に表示されたメッセージの一覧画面４１において（Ｓ２０５）、ユーザが、複数の定型化された新規メッセージ入力画面の中から所定の入力画面、例えば、発注書原案の新規入力画面を選択すると（Ｓ６０１）、この選択要求がメールサーバ４に送信される。メールサーバ４では、新規メッセージ入力画面表示部７がユーザ端末１に対して発注書の原案の入力画面データを送信し（Ｓ６０２）、ユーザ端末１において定型化された発注書の原案の入力画面（図示せず）が表示される（Ｓ６０３）。
【００５６】
次いで、ユーザが、受信者を指定して、発注内容を入力し、「送信」ボタンを選択すると、発注書の原案がメールサーバ４に送信される（Ｓ６０４）。なお、この時、ユーザは、上記した第１の実施の形態の場合と同様に、発注書に所定のファイルを添付することもできる。メールサーバ４では、新規メッセージ蓄積部８が、ユーザ端末１から送信されたこの発注書の発注内容を、添付ファイルが存在する場合にはその添付ファイルと共に、受信者に関連付けてデータベース６に蓄積すると共に、所定の受信者のユーザ端末２，３に送信する（Ｓ６０５）。
【００５７】
ユーザ端末２，３では、メッセージ表示部１１が、この発注書の原案の画面１１１を表示させる（Ｓ６０６）。図１６に示すように、この発注書の原案の画面１１１には、送信者名欄１１２、受信者名と共に各受信者が未読か既読か承認したかを表示する欄１１３、バージョン情報欄１１４等の他、発注内容１１５が定型化されて表示されるようになっており、各受信者名の文字色によりその受信者が発注書の原案を未読、既読、承認かを判別できるようになっている。そして、この発注書の原案の画面１１１には承認ボタンが設けられており、「承認する」ボタンを選択すると、そのメッセージを選択した受信者名等を表示する欄５７（図１６では「中村」の欄）の表示が既読から承認に変わり、受信者がこのメッセージを承認したかどうかが他の受信者に報知されるようになっている。
【００５８】
また、送信者や受信者の各関係者が「意見を追加」のボタンを選択することにより、発注書の原案に記載された発注内容に対して意見を作成できることは、上記した第１の実施の形態の場合と同じであり、これにより、グループ化された各関係者間で発注内容について効率良く協議を行うことができる。そして、各関係者間での協議の結果、必要な場合には前記発注書の原案を作成し直し、各関係者の意見を盛り込んだ発注書の最終案を新規バージョンのメッセージとしてまとめる。
【００５９】
次いで、ステータス管理部１４は、発注書の最終案の発注内容に対して前記各受信者がそれぞれ、各自の端末において「承認する」ボタンの選択動作を行ったかどうかに基づき、その発注内容が前記各受信者に承認されたか否かの判定を行う（Ｓ６０７）。この時、前記受信者全員が承認した場合の他、受信者の一定人数以上の者が承認した場合や受信者のうちの特定の者（例えば、責任者）が承認した場合に、前記受信者によって承認されたとステータス管理部１４が判定するように設定することもできる。
【００６０】
そして、前記ステップ６０７において、前記発注書の最終案の発注内容が前記受信者によって承認されたとステータス管理部１４が判定した場合には、メッセージ送信判定部２３が発注先への前記発注書の送信を許可し、文書変換部２１が前記発注書の最終案を発注先送信用に定型化された文書に変換し、送信を指示する（Ｓ６０８）。この文書の変換時には、前記発注書の原案に入力された内容がそのままの状態で前記発注先送信用に定型化された文書に転記されるため、転記ミスが発生するおそれはない。なお、文書変換部２１が前記発注書の原案を発注先送信用に定型化された文書に変換した後に、前記発注書の原案にはない項目、例えば、発注日、発注担当者名、連絡事項等を新たに追加することができるように構成してもよい。
【００６１】
一方、前記ステップ６０７において、前記発注内容が前記受信者によって承認されていないとステータス管理部１４が判定した場合には、メッセージ送信判定部２３は発注先に対して前記発注書の送信を許可しない。
【００６２】
そして、メールサーバ４では、新規メッセージ蓄積部８が、ユーザ端末１から送信されたこの発注書の最終的に合意された発注内容を、新規バージョンのメッセージとして、受信者に関連付けてデータベース６に蓄積すると共に、受注者側の所定の受信者のユーザ端末に送信する（Ｓ６０９）。また、前記最終的に合意された発注内容は、発注者側の担当者の要求に基づき、該担当者の端末に前記発注先送信用の文書にて表示される。
【００６３】
図１７は受注者側のユーザが定型化された新規メッセージ（発注書）を受信した時の処理手順を示しており、メッセージの一覧画面４１を表示させるまでの処理手順は、上記した第１の実施の形態の場合の処理手順と同じである。
【００６４】
先ず、受注者側のユーザ端末に表示されたメッセージの一覧画面４１において（Ｓ２０５）、ユーザが、発注書を選択すると（Ｓ７０１）、この選択要求がメールサーバ４に送信される。メールサーバ４では、メッセージ検索抽出部９がデータベース６から前記発注書の発注内容に関するテータを検索、抽出し、前記ユーザ端末に対してそのデータを送信する（Ｓ７０２）。
【００６５】
ユーザ端末では、メッセージ表示部１１が、この発注書の画面１２１を前記発注先送信用に定型化された文書で表示させる（Ｓ７０３）。図１８に示すように、この発注書の表示画面１２１には、送信者名欄１２２、受信者名と共に各受信者が未読か既読か承認したかを表示する欄１２３、バージョン情報欄１２４等の他、発注内容１２５が定型化されて表示されるようになっており、各受信者名の文字色によりその受信者が意見を未読、既読、承認かを判別できるようになっている。そして、この発注書の表示画面１２１には承認ボタンが設けられており、「承認する」ボタンを選択すると、そのメッセージを選択した受信者名等を表示する欄５７の表示が既読から承認に変わり、受信者がこのメッセージを承認したかどうかが他の受信者に報知されるようになっている。
【００６６】
また、送信者や受信者の各関係者が「意見を追加」のボタンを選択することにより、発注書に記載された発注内容に対して意見を作成できることは、上記した第１の実施の形態の場合と同じであり、これにより、グループ化された各関係者間で発注内容について効率良く協議を行うことができる。この時、受注者側の担当者が、発注者側へ開示しない方が良いと判断した意見等については、受注者側のユーザ端末から発注書の画面１２１上において所定範囲を指定して「非公開」ボタン（図示せず）を選択すると、メッセージ公開制限部２４が指定された範囲のメッセージを発注者側には非公開にする。
【００６７】
次いで、ステータス管理部１４は、発注書の発注内容に対して前記各受信者がそれぞれの発注書の画面１２１上において「承認する」ボタンの選択動作を行ったかどうかに基づき、その発注内容が前記各受信者に承認されたか否かの判定を行う（Ｓ７０４）。この時、前記受信者全員が承認した場合の他、受信者の一定人数以上の者が承認した場合や受信者のうちの特定の者（例えば、責任者）が承認した場合に、前記受信者によって承認されたとステータス管理部１４が判定するように設定することもできる。
【００６８】
そして、前記ステップ７０５において、前記発注内容が前記受信者によって承認されたとステータス管理部１４が判定した場合には、メッセージ送信判定部２３が発注元への受注書の送信を許可し、文書変換部２１が前記発注書の内容を発注元送信用に定型化された文書（受注書）に変換し、送信を指示する（Ｓ６０８）。この文書の変換時には、前記発注書の内容がそのままの状態で前記発注元送信用に定型化された文書に転記されるため、転記ミスが発生するおそれはない。
【００６９】
一方、前記ステップ７０５において、前記発注内容が前記受信者によって承認されていないとステータス管理部１４が判定した場合には、メッセージ送信判定部２３は発注元に対して前記受注書の送信を許可しない。
【００７０】
なお、この時、発注者側担当者と受注者側担当者との間での協議の結果、前記発注書に記載されている内容の一部が別発注になる場合には、受注者側のユーザ端末から発注書の画面１２１上において所定範囲を指定して「分割する」ボタン（図示せず）を選択すると、文書分割部２２はメッセージの指定された範囲を分割する。
【００７１】
次いで、メールサーバ４では、新規メッセージ蓄積部８が、前記ユーザ端末から送信されたこの受注書の内容を、受信者に関連付けてデータベース６に蓄積すると共に、発注者側の所定の受信者のユーザ端末１，２，３に送信する（Ｓ７０６）。
【００７２】
なお、上記した第２の実施の形態では、定型化した文書として発注書について説明したが、これは単なる例示に過ぎず、本発明は、例えば、受注者側が受注した内容を物流担当部署へ送付するための出荷指示書、製造指示書、仕入れ指示書、仕入れ発注書、出荷報告書、請求書、売上報告書、振替伝票の他、申請して受理する業務や、申し込んで受け付ける業務等、頼む・頼まれるの関係にあるあらゆる業務において使用される定型化された文書にも適用可能である。
【００７３】
上記したように本発明の第１及び第２の実施の形態に係る電子メールシステムによれば、送信者と指定された受信者全員のグループ化された関係者がいつでも同一のメッセージとそのメッセージに関連付けられた意見や返信意見を共有することができ、また、メッセージや意見について、各関係者の未読や既読、或いは承認の有無を把握することができる。したがって、グループ化された関係者間における情報の伝達を円滑に行うことができ、履歴の管理を容易且つ確実に行うことが可能となる。
【００７４】
なお、上記した各実施の形態においては、ユーザが前記メッセージに対して、「重要」、「保留」、「後に見る」、「★」印等の付箋を任意に設定し、前記メッセージの分類整理が容易にできるように構成させることもできる。この場合、メールサーバ４の制御部５には、前記メッセージを分類するための付箋をユーザ端末１から前記メッセージに対して任意に設定可能な付箋設定部（図示せず）と、該付箋設定部により同一の付箋を設定されたメッセージに関するデータのみをデータベース６から抽出する付箋設定メッセージ抽出部（図示せず）とがさらに設けられ、一覧表示部１０は、ユーザ端末１からの要求に応じて、前記付箋設定メッセージ抽出部により抽出されたメッセージに関するデータに基づき、同一の付箋を設定されたメッセージの一覧画面をユーザ端末１に表示可能なように構成される。
【００７５】
図１９は、この時のメッセージの一覧画面の一例を示しており、左端に付箋一覧１３１が表示されると共に、各メッセージの題名欄と送信者名の欄の間に付箋欄１３２が表示されるようになっている。この付箋は、付箋を設定したユーザ端末１においてのみ表示されるように構成されており、他のユーザ端末には表示されない。
【００７６】
また、この場合、図２２に示すように、メッセージ表示画面には、メッセージの題名の入力欄の右側に付箋入力欄１３５が表示され、前記付箋設定部は、このメッセージ表示画面の付箋入力欄１３５から入力された付箋に関するデータに基づき、前記メッセージに対して付箋を設定可能となっている。これにより、ユーザは自分が受信したメッセージを任意に分類し、整理することができる。
【００７７】
さらに、この場合、前記メッセージの一覧画面（図１９参照）の付箋一覧１３１の「編集」ボタンを選択することにより、図２１に示すように、前記付箋の追加、変更、削除を設定可能な付箋編集画面１３４が表示されるようになっている。
【００７８】
なお、上記した付箋に関する機能は、上記したメッセージの場合だけでなく、意見や返信意見にも設定可能なように構成することが可能である。また、図２０に示すように、新規入力画面に付箋入力欄１３３を設け、この付箋入力欄１３３から前記新規メッセージに対して送信者が予め付箋を設定可能なように構成することもできる。そして、この場合、新規メッセージは付箋付きの状態で、指定された各受信者に送信され、付箋は前記各受信者の端末上に表示される。
【００７９】
さらに、上記各実施の形態において、意見を表示させる場合に意見のやり取りを順を追って階層的に表示させたり（いわゆる「スレッド表示」）、意見の追加を締め切る機能を付加したりすることもできる。
【００８０】
さらにまた、上記各実施の形態では、情報通信ネットワークとしてインターネットを利用した場合について説明したが、これは単なる例示に過ぎず、本発明は、情報通信ネットワークとして専用通信回線等、他の情報通信ネットワークを利用した環境下においても実施可能であることは言う迄もない。
【図面の簡単な説明】
【００８１】
【図１】本発明の第１の実施の形態に係る電子メールシステムの全体構成を示す概略図である。
【図２】本発明の第１の実施の形態に係る電子メールシステムにおいてユーザがメッセージを受信する時の処理手順を示すフローチャートである。
【図３】本発明の第１の実施の形態に係る電子メールシステムにおけるメッセージの一覧画面を示す図である。
【図４】本発明の第１の実施の形態に係る電子メールシステムにおけるメッセージ画面を示す図である。
【図５】本発明の第１の実施の形態に係る電子メールシステムにおける意見の入力画面を示す図である。
【図６】本発明の第１の実施の形態に係る電子メールシステムにおける意見画面を示す図である。
【図７】本発明の第１の実施の形態に係る電子メールシステムにおける返信意見の入力画面を示す図である。
【図８】本発明の第１の実施の形態に係る電子メールシステムにおいてユーザが新規メッセージを作成する時の処理手順を示すフローチャートである。
【図９】本発明の第１の実施の形態に係る電子メールシステムにおける新規メッセージの入力画面を示す図である。
【図１０】本発明の第１の実施の形態に係る電子メールシステムにおいてユーザが新規バージョンのメッセージを作成する時の処理手順を示すフローチャートである。
【図１１】本発明の第１の実施の形態に係る電子メールシステムにおいて既に入力されているメッセージの表示画面を示す図である。
【図１２】本発明の第１の実施の形態に係る電子メールシステムにおける新規バージョンのメッセージの入力画面を示す図である。
【図１３】本発明の第１の実施の形態に係る電子メールシステムにおいて未読のメッセージを表示させる時の処理手順を示すフローチャートである。
【図１４】本発明の第２の実施の形態に係る電子メールシステムの全体構成を示す概略図である。
【図１５】本発明の第２の実施の形態に係る電子メールシステムにおいてユーザが新規メッセージを送信する時の処理手順を示すフローチャートである。
【図１６】本発明の第２の実施の形態に係る電子メールシステムにおいて発注者側の端末に表示された発注書の表示画面を示す図である。
【図１７】本発明の第２の実施の形態に係る電子メールシステムにおいてユーザが新規メッセージを受信した時の処理手順を示すフローチャートである。
【図１８】本発明の第２の実施の形態に係る電子メールシステムにおいて受注者側の端末に表示された発注書の画面を示す図である。
【図１９】本発明の第１又は第２の実施の形態に係る電子メールシステムにおけるメッセージの一覧画面の別の例を示す図である。
【図２０】本発明の第１又は第２の実施の形態に係る電子メールシステムにおける新規メッセージの入力画面の別の例を示す図である。
【図２１】本発明の第１又は第２の実施の形態に係る電子メールシステムにおける付箋編集画面の例を示す図である。
【図２２】本発明の第１又は第２の実施の形態に係る電子メールシステムにおけるメッセージ表示画面の別の例を示す図である。
【符号の説明】
【００８２】
１          ユーザ端末
２          ユーザ端末
３          ユーザ端末
４          メールサーバ
６          データベース
７          新規メッセージ入力画面表示部
８          新規メッセージ蓄積部
９          メッセージ検索抽出部
１０        一覧表示部
１１        メッセージ表示部
１２        意見入力画面表示部
１３        意見蓄積部
１４        ステータス管理部
１５        未読メッセージ抽出部
１６        ファイル添付処理部
１７        返信意見入力画面表示部
１８        返信意見蓄積部
１９        新規バージョンメッセージ入力画面表示部
２０        新規バージョンメッセージ蓄積部
２１        文書変換部
２２        文書分割部
２３        メッセージ送信判定部
２４        メッセージ公開制限部
３０        インターネット
４１        一覧画面
５１        メッセージ画面
７１        意見の入力画面
８１        新規メッセージの入力画面
１０１      新規バージョンのメッセージの入力画面
【図１】
2007028025.tif 000003
【図２】
2007028025.tif 000004
【図３】
2007028025.tif 000005
【図４】
2007028025.tif 000006
【図５】
2007028025.tif 000007
【図６】
2007028025.tif 000008
【図７】
2007028025.tif 000009
【図８】
2007028025.tif 000010
【図９】
2007028025.tif 000011
【図１０】
2007028025.tif 000012
【図１１】
2007028025.tif 000013
【図１２】
2007028025.tif 000014
【図１３】
2007028025.tif 000015
【図１４】
2007028025.tif 000016
【図１５】
2007028025.tif 000017
【図１６】
2007028025.tif 000018
【図１７】
2007028025.tif 000019
【図１８】
2007028025.tif 000020
【図１９】
2007028025.tif 000021
【図２０】
2007028025.tif 000022
【図２１】
2007028025.tif 000023
【図２２】
2007028025.tif 000024
【手続補正書】
【提出日】平成17年8月25日(2005.8.25)
【手続補正１】
【補正対象書類名】特許請求の範囲
【補正対象項目名】全文
【補正方法】変更
【補正の内容】
【特許請求の範囲】
【請求項１】
ユーザ端末とメールサーバとが情報通信ネットワークを介して相互に接続された環境下において、電子メールの送受信を行うための電子メールシステムであって、
前記ユーザ端末からの新規メッセージ作成要求に応じて、新規メッセージの入力画面を前記ユーザ端末に表示させる新規メッセージ入力画面表示手段と、
前記新規メッセージの入力画面から受信者を指定して入力された新規メッセージを前記受信者に関連付けてデータベースに蓄積させる新規メッセージ蓄積手段と、
前記ユーザ端末からのメッセージ閲覧要求に応じて、該閲覧要求したユーザが受信者として指定されているメッセージに関するデータをデータベースから検索し、抽出するメッセージ検索抽出手段と、
該メッセージ検索抽出手段により抽出されたメッセージに関するデータに基づき、一覧画面を前記ユーザ端末に表示させる一覧表示手段と、
前記一覧画面からのメッセージの選択要求に応じて、該メッセージを含むメッセージ画面を前記ユーザ端末に表示させるメッセージ表示手段と、
該メッセージ表示手段により前記ユーザ端末に表示されたメッセージに対する意見の作成要求に応じて、意見の入力画面を前記ユーザ端末に表示させる意見入力画面表示手段と、
前記ユーザ端末に表示された意見の入力画面から入力された意見を前記選択されたメッセージに関連付けて前記データベースに蓄積させる意見蓄積手段と、
を備えており、
前記メッセージ検索抽出手段が前記データベースから検索し、抽出する前記メッセージに関するデータには、前記メッセージに関連付けられた意見が含まれており、前記メッセージ表示手段は、前記メッセージ画面を前記ユーザ端末に表示させる時に、前記メッセージと共に該メッセージに関連付けられた意見も表示するように構成されていることを特徴とする電子メールシステム。
【請求項２】
前記新規メッセージ入力画面表示手段は、前記ユーザ端末からの要求に基づき、所定の定型化された新規メッセージ入力画面を前記ユーザ端末に表示可能なように構成されている請求項１に記載の電子メールシステム。
【請求項３】
前記所定の定型化された新規メッセージ入力画面にメッセージが入力されて構成された文書を他のタイプの定型化された文書に変換可能な文書変換手段をさらに備えている請求項２に記載の電子メールシステム。
【請求項４】
前記新規メッセージ入力画面にメッセージが入力されて構成された文書を複数の定型化された文書に分割可能な文書分割手段をさらに備えている請求項２又は３に記載の電子メールシステム。
【請求項５】
前記一覧画面からのメッセージ選択動作の有無に基づき、そのメッセージが既読か未読かの判定を行い、その判定結果を前記ユーザ端末に表示させるステータス管理手段をさらに備えている請求項１〜４のいずれか１の請求項に記載の電子メールシステム。
【請求項６】
前記ステータス管理手段は、前記メッセージの受信者のユーザ端末に表示された前記メッセージ画面からの前記受信者の承認動作の有無に基づき、そのメッセージが前記受信者に承認されたか否かの判定を行うように構成されている請求項５に記載の電子メールシステム。
【請求項７】
前記ステータス管理手段の前記判定結果に基づき、前記受信者及び送信者以外の者への前記メッセージの送信の可否を判定するメッセージ送信判定手段をさらに備えている請求項６に記載の電子メールシステム。
【請求項８】
前記メッセージの送信者及び受信者の要求に基づき、該送信者及び受信者以外の者への公開を制限する範囲を前記メッセージにおいて指定可能なメッセージ公開制限手段をさらに備えている請求項７に記載の電子メールシステム。
【請求項９】
前記ステータス管理手段により未読と判定されたメッセージに関するデータのみを抽出する未読メッセージ抽出手段を備えており、前記一覧表示手段は、前記ユーザ端末からの要求に応じて、前記未読メッセージ抽出手段により抽出された未読メッセージに関するデータに基づき、未読メッセージ一覧画面を前記ユーザ端末に表示するように構成されている請求項５〜８のいずれか１の請求項に記載の電子メールシステム。
【請求項１０】
前記ユーザ端末からの要求に基づき、前記ユーザ端末に格納されているファイルを選択し、該ファイルを前記メッセージに添付可能なファイル添付処理手段を備えている請求項１〜９のいずれか１の請求項に記載の電子メールシステム。
【請求項１１】
前記メッセージ表示手段により前記ユーザ端末に表示された意見に対する返信意見の作成要求に応じて、返信意見の入力画面を前記ユーザ端末に表示させる返信意見入力画面表示手段と、
前記ユーザ端末に表示された返信意見の入力画面から入力された返信意見を前記意見に関連付けて前記データベースに蓄積させる返信意見蓄積手段と、
をさらに備えており、
前記メッセージ検索抽出手段が前記データベースから検索し、抽出する前記メッセージに関するデータには、前記意見に関連付けられた返信意見が含まれており、前記メッセージ表示手段は、前記メッセージ画面を前記ユーザ端末に表示させる時に、前記意見と共に該意見に関連付けられた返信意見も表示するように構成されている請求項１〜１０のいずれか１の請求項に記載の電子メールシステム。
【請求項１２】
既に入力されているメッセージに対する新規バージョンのメッセージの作成要求に応じて、新規バージョンのメッセージ入力画面を前記ユーザ端末に表示させる新規バージョンメッセージ入力画面表示手段と、
前記ユーザ端末に表示された新規バージョンのメッセージ入力画面から入力された新規バージョンのメッセージを既に入力されているメッセージに関連付けてデータベースに蓄積させる新規バージョンメッセージ蓄積手段と、
を備えており、前記メッセージ検索抽出手段は、前記ユーザ端末からのメッセージ閲覧要求に応じて、該閲覧要求したユーザが受信者として指定されているメッセージのうち最新バージョンのメッセージに関するデータを前記データベースから検索、抽出し、前記一覧表示手段は、前記メッセージ検索抽出手段により抽出された最新バージョンのメッセージに関するデータに基づき、一覧画面を前記ユーザ端末に表示させ、前記メッセージ表示手段は、前記一覧画面からのメッセージの選択要求に応じて、前記最新バージョンのメッセージを前記ユーザ端末に表示させるように構成されている請求項１〜１１のいずれか１の請求項に記載の電子メールシステム。
【請求項１３】
前記メッセージ表示手段は、前記ユーザ端末からの要求に応じて、古いバージョンのメッセージを表示可能なように構成されている請求項１２に記載の電子メールシステム。
【請求項１４】
前記メッセージを分類するための付箋を前記ユーザ端末から前記メッセージに対して任意に設定可能な付箋設定手段と、該付箋設定手段により同一の付箋を設定されたメッセージに関するデータのみを前記データベースから抽出する付箋設定メッセージ抽出手段とを備えており、前記一覧表示手段は、前記ユーザ端末からの要求に応じて、前記付箋設定メッセージ抽出手段により抽出されたメッセージに関するデータに基づき、同一の付箋を設定されたメッセージの一覧画面を前記ユーザ端末に表示可能なように構成されている請求項１〜１３のいずれか１の請求項に記載の電子メールシステム。
【請求項１５】
前記付箋設定手段は、前記新規メッセージの入力画面から入力された付箋に関するデータに基づき、前記新規メッセージに対して付箋を設定可能なように構成されている請求項１４に記載の電子メールシステム。
【請求項１６】
前記付箋の追加、変更、削除を設定可能な付箋編集画面が、前記メッセージの一覧画面からの要求に基づき前記ユーザ端末に表示されるように構成されている請求項１４または１５に記載の電子メールシステム。
【請求項１７】
前記ユーザ端末から設定した付箋は、該付箋を設定したユーザ端末にのみ表示されるように構成されている請求項１４〜１６のいずれか１の請求項に記載の電子メールシステム。
【手続補正書】
【提出日】平成18年1月5日(2006.1.5)
【手続補正１】
【補正対象書類名】特許請求の範囲
【補正対象項目名】全文
【補正方法】変更
【補正の内容】
【特許請求の範囲】
【請求項１】
ユーザ端末とメールサーバとが情報通信ネットワークを介して相互に接続された環境下において、電子メールの送受信を行うための電子メールシステムであって、
前記ユーザ端末からの新規メッセージの入力画面の選択に応じて、定型化された新規メッセージの入力画面を前記ユーザ端末に表示させる新規メッセージ入力画面表示手段と、
前記定型化された新規メッセージの入力画面に新規メッセージを入力後、受信者を指定して送信された新規メッセージを前記受信者に関連付けてデータベースに蓄積させる新規メッセージ蓄積手段と、
前記ユーザ端末からのメッセージ閲覧要求に応じて、該閲覧要求したユーザが受信者として指定されているメッセージに関するデータをデータベースから検索し、抽出するメッセージ検索抽出手段と、
該メッセージ検索抽出手段により抽出されたメッセージに関するデータに基づき、一覧画面を前記ユーザ端末に表示させる一覧表示手段と、
前記一覧画面からのメッセージの選択要求に応じて、該メッセージを含むメッセージ画面を前記ユーザ端末に表示させるメッセージ表示手段と、
該メッセージ表示手段により前記ユーザ端末に表示されたメッセージに対する意見の作成要求に応じて、意見の入力画面を前記ユーザ端末に表示させる意見入力画面表示手段と、
前記ユーザ端末に表示された意見の入力画面から入力された意見を前記選択されたメッセージに関連付けて前記データベースに蓄積させる意見蓄積手段と、
前記メッセージの受信者のユーザ端末に表示された前記メッセージ画面に含まれるメッセージに対して、前記受信者全員が承認動作を行ったか、或いは、前記受信者のうちの一定人数以上の者又は特定の者が承認動作を行った場合に、前記受信者のユーザ端末からの承認動作を前記メールサーバにおいて受信することにより前記受信者によって承認されたと判定するステータス管理手段と、
前記受信者によって前記メッセージが承認されたと前記ステータス管理手段が判定した場合に、前記受信者によって承認されたメッセージ画面に含まれるメッセージを、送信用に定型化された文書に変換する文書変換手段と、
該文書変換手段によって変換された定型化された文書を前記受信者のユーザ端末から送信先のユーザ端末に送信するメッセージ送信判定手段と、
を備えていることを特徴とする電子メールシステム。
【請求項２】
前記新規メッセージ入力画面にメッセージが入力されて構成された文書を複数の定型化された文書に分割可能な文書分割手段をさらに備えている請求項１に記載の電子メールシステム。
【請求項３】
前記ステータス管理手段は、前記一覧画面からのメッセージ選択動作の有無に基づき、そのメッセージが既読か未読かの判定を行い、その判定結果を前記ユーザ端末に表示させる請求項１又は２に記載の電子メールシステム。
【請求項４】
前記メッセージの送信者及び受信者の要求に基づき、該送信者及び受信者以外の者への公開を制限する範囲を前記メッセージにおいて指定可能なメッセージ公開制限手段をさらに備えている請求項１〜３のいずれか１の請求項に記載の電子メールシステム。
【請求項５】
前記ステータス管理手段により未読と判定されたメッセージに関するデータのみを抽出する未読メッセージ抽出手段を備えており、前記一覧表示手段は、前記ユーザ端末からの要求に応じて、前記未読メッセージ抽出手段により抽出された未読メッセージに関するデータに基づき、未読メッセージ一覧画面を前記ユーザ端末に表示するように構成されている請求項１〜４のいずれか１の請求項に記載の電子メールシステム。
【請求項６】
前記ユーザ端末からの要求に基づき、前記ユーザ端末に格納されているファイルを選択し、該ファイルを前記メッセージに添付可能なファイル添付処理手段を備えている請求項１〜５のいずれか１の請求項に記載の電子メールシステム。
【請求項７】
前記メッセージ表示手段により前記ユーザ端末に表示された意見に対する返信意見の作成要求に応じて、返信意見の入力画面を前記ユーザ端末に表示させる返信意見入力画面表示手段と、
前記ユーザ端末に表示された返信意見の入力画面から入力された返信意見を前記意見に関連付けて前記データベースに蓄積させる返信意見蓄積手段と、
をさらに備えており、
前記メッセージ検索抽出手段が前記データベースから検索し、抽出する前記メッセージに関するデータには、前記意見に関連付けられた返信意見が含まれており、前記メッセージ表示手段は、前記メッセージ画面を前記ユーザ端末に表示させる時に、前記意見と共に該意見に関連付けられた返信意見も表示するように構成されている請求項１〜６のいずれか１の請求項に記載の電子メールシステム。
【請求項８】
既に入力されているメッセージに対する新規バージョンのメッセージの作成要求に応じて、新規バージョンのメッセージ入力画面を前記ユーザ端末に表示させる新規バージョンメッセージ入力画面表示手段と、
前記ユーザ端末に表示された新規バージョンのメッセージ入力画面から入力された新規バージョンのメッセージを既に入力されているメッセージに関連付けてデータベースに蓄積させる新規バージョンメッセージ蓄積手段と、
を備えており、前記メッセージ検索抽出手段は、前記ユーザ端末からのメッセージ閲覧要求に応じて、該閲覧要求したユーザが受信者として指定されているメッセージのうち最新バージョンのメッセージに関するデータを前記データベースから検索、抽出し、前記一覧表示手段は、前記メッセージ検索抽出手段により抽出された最新バージョンのメッセージに関するデータに基づき、一覧画面を前記ユーザ端末に表示させ、前記メッセージ表示手段は、前記一覧画面からのメッセージの選択要求に応じて、前記最新バージョンのメッセージを前記ユーザ端末に表示させるように構成されている請求項１〜７のいずれか１の請求項に記載の電子メールシステム。
【請求項９】
前記メッセージ表示手段は、前記ユーザ端末からの要求に応じて、古いバージョンのメッセージを表示可能なように構成されている請求項８に記載の電子メールシステム。
【請求項１０】
前記メッセージを分類するための付箋を前記ユーザ端末から前記メッセージに対して任意に設定可能な付箋設定手段と、該付箋設定手段により同一の付箋を設定されたメッセージに関するデータのみを前記データベースから抽出する付箋設定メッセージ抽出手段とを備えており、前記一覧表示手段は、前記ユーザ端末からの要求に応じて、前記付箋設定メッセージ抽出手段により抽出されたメッセージに関するデータに基づき、同一の付箋を設定されたメッセージの一覧画面を前記ユーザ端末に表示可能なように構成されている請求項１〜９のいずれか１の請求項に記載の電子メールシステム。
【請求項１１】
前記付箋設定手段は、前記新規メッセージの入力画面から入力された付箋に関するデータに基づき、前記新規メッセージに対して付箋を設定可能なように構成されている請求項１０に記載の電子メールシステム。
【請求項１２】
前記付箋の追加、変更、削除を設定可能な付箋編集画面が、前記メッセージの一覧画面からの要求に基づき前記ユーザ端末に表示されるように構成されている請求項１１に記載の電子メールシステム。
【請求項１３】
前記ユーザ端末から設定した付箋は、該付箋を設定したユーザ端末にのみ表示されるように構成されている請求項１０〜１２のいずれか１の請求項に記載の電子メールシステム。
【手続補正書】
【提出日】平成18年9月27日(2006.9.27)
【手続補正１】
【補正対象書類名】特許請求の範囲
【補正対象項目名】全文
【補正方法】変更
【補正の内容】
【特許請求の範囲】
【請求項１】
ユーザ端末とメールサーバとが情報通信ネットワークを介して相互に接続された環境下において、電子メールの送受信を行うための電子メールシステムであって、
前記ユーザ端末からの新規メッセージの入力画面の選択に応じて、定型化された新規メッセージの入力画面を前記ユーザ端末に表示させる新規メッセージ入力画面表示手段と、
前記定型化された新規メッセージの入力画面に新規メッセージを入力後、受信者を指定して送信された新規メッセージを前記受信者に関連付けてデータベースに蓄積させる新規メッセージ蓄積手段と、
前記ユーザ端末からのメッセージ閲覧要求に応じて、該閲覧要求したユーザが受信者として指定されているメッセージに関するデータをデータベースから検索し、抽出するメッセージ検索抽出手段と、
該メッセージ検索抽出手段により抽出されたメッセージに関するデータに基づき、一覧画面を前記ユーザ端末に表示させる一覧表示手段と、
前記一覧画面からのメッセージの選択要求に応じて、該メッセージを含むメッセージ画面を前記ユーザ端末に表示させるメッセージ表示手段と、
該メッセージ表示手段により前記ユーザ端末に表示されたメッセージに対する意見の作成要求に応じて、意見の入力画面を前記ユーザ端末に表示させる意見入力画面表示手段と、
前記ユーザ端末に表示された意見の入力画面から入力された意見を前記選択されたメッセージに関連付けて前記データベースに蓄積させる意見蓄積手段と、
前記メッセージの受信者のユーザ端末に表示された前記メッセージ画面に含まれるメッセージに対して、前記受信者全員が承認動作を行ったか、或いは、前記受信者のうちの一定人数以上の者又は特定の者が承認動作を行った場合に、前記受信者のユーザ端末からの承認動作を前記メールサーバにおいて受信することにより前記受信者によって承認されたと判定するステータス管理手段と、
前記受信者によって前記メッセージが承認されたと前記ステータス管理手段が判定した場合に、前記受信者によって承認されたメッセージ画面に含まれるメッセージを、内容をそのままの状態にして送信用に定型化された文書に転記し変換する文書変換手段と、
該文書変換手段によって変換された定型化された文書を前記メールサーバから送信先のユーザ端末に送信するメッセージ送信判定手段と、
を備えていることを特徴とする電子メールシステム。
【請求項２】
前記新規メッセージ入力画面にメッセージが入力されて構成された文書を複数の定型化された文書に分割可能な文書分割手段をさらに備えている請求項１に記載の電子メールシステム。
【請求項３】
前記ステータス管理手段は、前記一覧画面からのメッセージ選択動作の有無に基づき、そのメッセージが既読か未読かの判定を行い、その判定結果を前記ユーザ端末に表示させる請求項１又は２に記載の電子メールシステム。
【請求項４】
前記メッセージの送信者及び受信者の要求に基づき、該送信者及び受信者以外の者への公開を制限する範囲を前記メッセージにおいて指定可能なメッセージ公開制限手段をさらに備えている請求項１〜３のいずれか１の請求項に記載の電子メールシステム。
【請求項５】
前記ステータス管理手段により未読と判定されたメッセージに関するデータのみを抽出する未読メッセージ抽出手段を備えており、前記一覧表示手段は、前記ユーザ端末からの要求に応じて、前記未読メッセージ抽出手段により抽出された未読メッセージに関するデータに基づき、未読メッセージ一覧画面を前記ユーザ端末に表示するように構成されている請求項１〜４のいずれか１の請求項に記載の電子メールシステム。
【請求項６】
前記ユーザ端末からの要求に基づき、前記ユーザ端末に格納されているファイルを選択し、該ファイルを前記メッセージに添付可能なファイル添付処理手段を備えている請求項１〜５のいずれか１の請求項に記載の電子メールシステム。
【請求項７】
前記メッセージ表示手段により前記ユーザ端末に表示された意見に対する返信意見の作成要求に応じて、返信意見の入力画面を前記ユーザ端末に表示させる返信意見入力画面表示手段と、
前記ユーザ端末に表示された返信意見の入力画面から入力された返信意見を前記意見に関連付けて前記データベースに蓄積させる返信意見蓄積手段と、
をさらに備えており、
前記メッセージ検索抽出手段が前記データベースから検索し、抽出する前記メッセージに関するデータには、前記意見に関連付けられた返信意見が含まれており、前記メッセージ表示手段は、前記メッセージ画面を前記ユーザ端末に表示させる時に、前記意見と共に該意見に関連付けられた返信意見も表示するように構成されている請求項１〜６のいずれか１の請求項に記載の電子メールシステム。
【請求項８】
既に入力されているメッセージに対する新規バージョンのメッセージの作成要求に応じて、新規バージョンのメッセージ入力画面を前記ユーザ端末に表示させる新規バージョンメッセージ入力画面表示手段と、
前記ユーザ端末に表示された新規バージョンのメッセージ入力画面から入力された新規バージョンのメッセージを既に入力されているメッセージに関連付けてデータベースに蓄積させる新規バージョンメッセージ蓄積手段と、
を備えており、前記メッセージ検索抽出手段は、前記ユーザ端末からのメッセージ閲覧要求に応じて、該閲覧要求したユーザが受信者として指定されているメッセージのうち最新バージョンのメッセージに関するデータを前記データベースから検索、抽出し、前記一覧表示手段は、前記メッセージ検索抽出手段により抽出された最新バージョンのメッセージに関するデータに基づき、最新バージョンのメッセージの一覧画面を前記ユーザ端末に表示させ、前記メッセージ表示手段は、前記一覧画面からのメッセージの選択要求に応じて、前記最新バージョンのメッセージを前記ユーザ端末に表示させるように構成されている請求項１〜７のいずれか１の請求項に記載の電子メールシステム。
【請求項９】
前記メッセージ表示手段は、前記ユーザ端末からの要求に応じて、古いバージョンのメッセージを表示可能なように構成されている請求項８に記載の電子メールシステム。
【請求項１０】
前記メッセージを分類するための付箋を前記ユーザ端末から前記メッセージに対して任意に設定可能な付箋設定手段と、該付箋設定手段により同一の付箋を設定されたメッセージに関するデータのみを前記データベースから抽出する付箋設定メッセージ抽出手段とを備えており、前記一覧表示手段は、前記ユーザ端末からの要求に応じて、前記付箋設定メッセージ抽出手段により抽出されたメッセージに関するデータに基づき、同一の付箋を設定されたメッセージの一覧画面を前記ユーザ端末に表示可能なように構成されている請求項１〜９のいずれか１の請求項に記載の電子メールシステム。
【請求項１１】
前記付箋設定手段は、前記新規メッセージの入力画面から入力された付箋に関するデータに基づき、前記新規メッセージに対して付箋を設定可能なように構成されている請求項１０に記載の電子メールシステム。
【請求項１２】
前記付箋の追加、変更、削除を設定可能な付箋編集画面が、前記メッセージの一覧画面からの要求に基づき前記ユーザ端末に表示されるように構成されている請求項１１に記載の電子メールシステム。
【請求項１３】
前記ユーザ端末から設定した付箋は、該付箋を設定したユーザ端末にのみ表示されるように構成されている請求項１０〜１２のいずれか１の請求項に記載の電子メールシステム。